(57)【要約】【課題】従来、ＩＣ搬送機付簡易ＩＣメモリー書込み機が無かったので、ＩＣ搬送及び書込み機の操作は手作業で行わざるを得ず、省力化と信頼性上の課題があった。【解決手段】ＩＣメモリー書込み機の書込み可能状態を外部に伝える表示信号、書込み開始信号、書き込み結果合格表示信号、書込み不具合表示信号の各々の信号で、ＩＣ搬送機の動きを制御することで、ＩＣ搬送機付メモリーＩＣ自動書込み機を実現し、上記課題を解決する。【選択図】図１
2008171372.tif 000002
【特許請求の範囲】
【請求項１】
ＩＣメモリー書込み機が出力する書込み可能或いは、書込み待ち信号によって、ＩＣ搬送機は、ＩＣをＩＣソケットに移動挿入させ、ＩＣ搬送機が出力するＩＣ装着完了信号を、ＩＣメモリー書込み機の書込み動作開始信号とし使い、ＩＣメモリー書込み機が出力する正常書込み完了表示信号或いは、不具合書込み表示信号を使って、ＩＣ搬送機が、メモリー書込み後のＩＣを所定の位置に移動分類させるＩＣ搬送機付ＩＣメモリー書込み機。
【発明の詳細な説明】
【技術分野】
【０００１】  本発明は、読出し専用ＩＣメモリーのプログラム書込み機に関するものであり、汎用の書込み機にはいずれも備えられている状態表示信号を使う事によって、メモリーＩＣを吸着、移動し、ＩＣソケットに装着し、メモリー書込み、書込み後のＩＣを良品、不具合品別に、所定の位置へ分類移動すること等の作業を自動的に行うことを可能にしたものである。
【背景技術】
【０００２】  大量に使用される場合のメモリー読出し専用半導体メモリーは、ＩＣメーカが、ＩＣ生産時にメモリー内容も焼き付けて生産し供給しているのが一般的である。しかし、従来から中小規模で使用される場合或いは、時々メモリー内容の変更が伴うものは、使用者側が、商品用途別、目的別にプログラムを書き込んで使用している。その為に汎用書込み機が主に機種別に市販されており、メモリーを組み込んで商品するメーカ或いは、書込み受託専業業者は、メモリーＩＣに適した書込み機を用意して書き込みを行っている。
従来書込み作業としては、作業者が通常テーピングされているメモリーＩＣを、テープから１個１個取り、書込み機のＩＣソケットに装着し、書込みスイッチを手でＯＮして書込み、書込み後それが正常に書き込まれたか否かを表示される信号を確認して、良品又は不具合品収納場所に搬送、仕分ける、という人手による作業を繰返していた。
【発明の開示】
【発明が解決しようとする課題】
【０００３】  しかし、従来のようにメモリーＩＣを人手によって取り扱いしなければならない事は、人手不足及び人件費の高い国では、コスト高になることだけでなく、人手作業による誤作業、誤判断も存在し、製品の信頼性を損ねる事も悩みの種であった。また近年、ＩＣ形状がますます小型化して、人手による取り扱い作業が困難になってきているという問題もあった。
一方、上記の課題に対処する為に、ＩＣ取り扱いの搬送機を付設することも理論上は考えられたが、書込み機の内部はどの製品もマイコン制御になっているので、マイコンのソフトウエアーが公開されなければ、搬送機の機構を制御する信号も得られないし、通常では汎用のメモリー書込み機が、わざわざ他目的の外部用駆動信号を出すことも有り得なかった。従って、搬送機付き一体型簡易メモリー書込み機の実現は容易ではなかった。本発明は、上記のような不具合を解決することを課題とする。
【課題を解決するための手段】
【０００４】  この課題を解決するための本発明は、ＩＣメモリー用の汎用手動書込み機のいずれもが備えている、書込み可能状態を外部に知らせる表示信号、書込み開始信号、書込み結果合格表示信号、書込み結果不具合表示信号、の各々の信号を利用してＩＣ搬送機の動きを制御することで、搬送機付一体型メモリー書き込み機を実現することが可能になった。
ＩＣ形状やピン配列は業界で標準化されているので、搬送機構は同一のものが使用でき、メモリーＩＣ別に書込み機を取り換え、同様の信号を接続することで、汎用の搬送機付簡易メモリー書込み機が実現できる。
【発明の効果】
【０００５】  本発明により、ＩＣメモリー書込みとＩＣを移動・設定する搬送機を組み合わせ動作することができるようになり、書込み作業の信頼性向上と省力化が可能になった。
【発明を実施するための最良の形態】
【０００６】  図１は、ＩＣメモリー書込み機とＩＣ搬送機を接続することで、一体化したＩＣ搬送機付ＩＣメモリー書込み機が実現できることを示す機能図である。ＩＣソケット（２）を接続したメモリー書込み部（１）と、ＩＣ吸着ヘッド（３）を備えたＩＣハンドラー機構（４）、メモリーＩＣ供給用テープ装着具（５）、良品ＩＣ搬送ベルト（６）、不具合ＩＣ収納台（７）等から構成される。
メモリー書き込み部（１）からは、書込み可能状態を示すＳＴＡＮＤＢＹ信号（Ｓ１）、書込み結果合格信号を示すＰＡＳＳ信号（Ｓ３）、書込み結果不具合を示すＮＧ信号（Ｓ４）を出力し、ＩＣ搬送機構の制御部に接続し、一方、ＩＣ搬送機からは、ＩＣをソケットに挿入する工程が終わった時に信号を出し、これをＳＴＡＲＴ信号（Ｓ２）として書込み機に入力する。このメモリー書込み部は、これ専用のものを開発しなくても、汎用の「メモリーライター」、或いは「プログラミングテスター」との名称の汎用のものを簡単に流用できることが本発明の特長である。これ等の手動の書込み機は、いずれも上記Ｓ１、Ｓ２、Ｓ３、及びＳ４は表示信号として備わっているからである。これ等の信号を使う事で、マイコン制御の命令信号を新たに必要とせずＩＣ搬送機構を動かす事が可能となる。
実施例の基本的動作を説明すると、
▲１▼ＩＣ搬送機構（４）は、書込み部（１）からの書込み可能状態を示すＳＴＡＮＤＢＹ信号（Ｓ１）を確認し、それによってＩＣ吸着ヘッド（３）がＩＣ供給用テープ装着具（５）にセットされているテープ上に移動し、ＩＣ吸着ヘッドでメモリーＩＣを吸着し、書き込み用ＩＣソケット（２）にＩＣを移動させ、メモリーＩＣをソケットに挿入固定する。
▲２▼上記▲１▼の動作終了を検出した信号をＩＣ搬送機構（４）は、ＳＴＡＲＴ信号（Ｓ２）として書込み部に伝えると、書込みを開始する。
▲３▼メモリー書込み中又は書込み終了後、書込み内容を検査して、合格ならＰＡＳＳ信号（Ｓ３）、不具合ならＮＧ信号（Ｓ４）を書込み部（１）は出力するので、ＩＣ搬送機構（４）は、この信号を受け取るとメモリーＩＣをソケットから抜き取り、書込み合格品は良品搬送ベルト（６）へ、不具合品は不具合品収納台（７）へ、夫々移動させる。
▲４▼以降▲１▼〜▲３▼を繰返す。
以上により、ＩＣ搬送機付ＩＣメモリー書込み機が、簡易に実現できることになった。
【産業上の利用可能性】
【０００７】  本発明に係わるメモリー書込み機は、生産工程での省力化が可能であり産業上有益である。
【図面の簡単な説明】
【０００８】
【図１】  ＩＣ搬送機付ＩＣメモリー書込み機の機能関係図である。
【符号の説明】
【０００９】    １      メモリー書込み部
２      ＩＣソケット
３      ＩＣ吸着ヘッド
４      ＩＣ搬送機構
５      ＩＣ供給テープ装着具
６      良品ＩＣ搬送ベルト
７      不具合ＩＣ収納台
Ｓ１    メモリー書込み部が書込み可能状態を示す信号
Ｓ２    書込み開始指示信号
Ｓ３    メモリー書込み結果合格信号
Ｓ４    メモリー書込み結果不具合信号
【図１】
2008171372.tif 000003